(57)【要約】【課題】  振れ止め部品の取付部及び係合部が目立つことがなく、引き戸の開口幅を広く取ることができ、且つ各障子を安定に移動できる上吊引き戸を提供する。【解決手段】  本発明の上吊引き戸１において、一方の障子３は、下框２３が障子幅Ｗと略同一長さであり、下框２３には他方の障子側面に開口する開口部３７と、開口部３７に連通する上向き又は下向き開口を有するガイド溝３９とを下框２３の長手方向に亘って設けてあり、振れ止め部品７の取付部４１は召し合わせ框２９の見込み面２９ａに取り付けてあり、腕部４３は取付部４１平面視略Ｌ字状を成しており、係合部４５は一方の障子３のガイド溝３９に係合しており、一方及び他方の障子ガイド９、１１は各々床面Ｇから突出して設けてあり、障子の閉鎖状態において、各障子ガイド９、１１は、障子の召し合わせ框１９、２９の下方で且つ下框２３、３３の室内側壁と室外側壁との間に位置している。【選択図】      図１
2005325552.tif 000002
【特許請求の範囲】
【請求項１】
レールに吊り下げた内障子と外障子と、振れ止め部品と、一方の障子ガイドと、他方の障子ガイドとを備え、内障子又は外障子の一方は、下框が障子幅と略同一長さであり、下框には他方の障子側面に開口する開口部と、開口部に連通する上向き又は下向き開口を有するガイド溝とを下框の長手方向に亘って設けてあり、振れ止め部品は取付部と、腕部と、係合部とを有しており、取付部は他方の障子の召し合わせ框の見込み面に取り付けてあり、腕部は取付部から一方の障子側に突出すると共に先端部が他方の障子の戸当り框側に突出して平面視略Ｌ字状を成しており、係合部は腕部の先端部に設けてあり且つ一方の障子の下框のガイド溝に係合しており、一方及び他方の障子ガイドは各々床面から突出して設けてあり、障子の閉鎖状態において、一方の障子ガイドは一方の障子の召し合わせ框の下方で且つ下框の室内側壁と室外側壁との間に位置し、他方の障子ガイドは他方の障子の召し合わせ框の下方で且つ下框の室内側壁と室外側壁との間に位置していることを特徴とする上吊引き戸。
【発明の詳細な説明】
【技術分野】
【０００１】
本発明は、上吊引き戸に関する。
【背景技術】
【０００２】
特許文献１には、一方の障子の下框見付け面には他方の障子側面に下框の長手方向に長いガイド溝を設け、他方の障子の召し合わせ框の見付け面に振れ止め部品を取り付け、振れ止め部品は一方側障子に向けて突出する腕部の先端に設けた係合部を一方の障子のガイド溝に係合することが開示されている。
特許文献２には、床面から障子ガイドを突出して設け、障子ガイドが障子の下框の室内側壁と室外側壁との間に位置して障子の走行をガイドすると共に、一方の障子の下框見付け面に振れ止め部品を取り付けて、振れ止め部品の先端に設けた係合部を他方の障子の下向きに開口するガイド溝に係合することが開示されている。
【０００３】
【特許文献１】特開平５−１９５６６８号公報
【特許文献２】特開平６−２３５２７５号公報
【発明の開示】
【発明が解決しようとする課題】
【０００４】
しかし、上述した特許文献１及び２に開示の技術では、図８に示すように、振れ止め部品７１は一方の障子７３の見付け面７３ａに取り付けてあるので、他方の障子７５を一方の障子７３に重ねるように片側に寄せて戸を開けた場合（引き戸の開き状態）に、一方の障子７３の召し合わせ側端から振れ止め部品７１の係合部７２までの寸法分Ｓだけデッドスペースとなって、引き戸の開口幅Ｔが狭くなるという問題がある。尚、図８において、障子７３及び７５にハッチを付けて示すのは竪框である。
また、特許文献２に開示の技術では、一方の障子ガイドのみを設けており、他方の障子ガイドがないから、他方の障子の移動が不安定になるという問題がある。
そこで、本発明は、振れ止め部品の取付部及び係合部が目立つことがなく、引き戸を開いたときの開口幅を広く取ることができ、且つ各障子を安定に移動できる上吊引き戸の提供を目的とする。
【課題を解決するための手段】
【０００５】
請求項１に記載の発明は、レールに吊り下げた内障子と外障子と、振れ止め部品と、一方の障子ガイドと、他方の障子ガイドとを備え、内障子又は外障子の一方は、下框が障子幅と略同一長さであり、下框には他方の障子側面に開口する開口部と、開口部に連通する上向き又は下向き開口を有するガイド溝とを下框の長手方向に亘って設けてあり、振れ止め部品は取付部と、腕部と、係合部とを有しており、取付部は他方の障子の召し合わせ框の見込み面に取り付けてあり、腕部は取付部から一方の障子側に突出すると共に先端部が他方の障子の戸当り框側に突出して平面視略Ｌ字状を成しており、係合部は腕部の先端部に設けてあり且つ一方の障子の下框のガイド溝に係合しており、一方及び他方の障子ガイドは各々床面から突出して設けてあり、障子の閉鎖状態において、一方の障子ガイドは一方の障子の召し合わせ框の下方で且つ下框の室内側壁と室外側壁との間に位置し、他方の障子ガイドは他方の障子の召し合わせ框の下方で且つ下框の室内側壁と室外側壁との間に位置していることを特徴とする。
【発明の効果】
【０００６】
請求項１に記載の発明では、振れ止め部品は他方の障子の召し合わせ框の見込み面に取り付けており且つ平面視略Ｌ字形状の腕部の先端部に設けた係合部が一方の障子に設けたガイド溝に係合しているので、図８に示す従来技術のように振れ止め部品７１を障子７３の見付け面７３ａに取り付ける場合に比較して、内障子と外障子とを片側に寄せて引き戸の開口を開いたときに（引戸の開き状態）、図６に示すように召し合わせ框の見込み面２９ａから振れ止め部品の係合部４５までの間のデッドスペースＳを係合部４５が一方の障子との係合を保持する為に必要な最小限の寸法にでき、引き戸の開口幅（図６の符号Ｔ参照）を広く取ることができる。
振れ止め部品の係合部は、略Ｌ字形状の腕部の先端部に設けて他方の障子の開口部から下框内に収納してガイド溝に係合してある構成であるから、係合部が外部から見え難く目立たない。また、振れ止め部品は取付部を召し合わせ框の見込み面に取り付けてあり、引き戸開口の出入方向から見え難いので目立たない。
障子の閉じ状態において、一方の障子ガイドは一方の障子の召し合わせ框の下方に位置し、他方の障子ガイドは他方の障子の召し合わせ框の下方に位置しているので、一方の障子及び他方の障子をそれぞれ閉じ位置及び開き位置の何れの方向に移動したときにもそれぞれの障子をガイドでき、各障子を安定に移動できる。
【発明を実施するための最良の形態】
【０００７】
以下に、添付図面を参照して本発明の実施の形態を詳細に説明するが、まず図１〜図５を参照して第１実施の形態について説明する。図１は図５に示す上吊引き戸において、内障子を外障子側に寄せて内障子と外障子を重ねた状態におけるＡ−Ａ断面図であり、図２は図５に示す上吊引き戸のＢ−Ｂ断面図であり、図３は振れ止め部品を召し合わせ框に取り付けた部分を抜き出して示す分解斜視図であり、図４は一方の障子ガイドと他方の障子ガイドを固定した床面部分を抜き出して示す斜視図であり、図５は第１実施の形態にかかる上吊引き戸の正面図であり、図６は図５に示す上吊引き戸を開いた状態における横断面図である。
第１実施の形態にかかる上吊引き戸１は部屋の出入口に設けた戸であり、内障子（一方の障子）３と外障子（他方の障子）５と、振れ止め部品７と、一方の障子ガイド９と、他方の障子ガイド１１とを備えており、内障子３及び外障子５は各々の上框に取り付けた戸車１３を、上枠１２に設けたレール１５に吊り下げてあり、レール１５を移動して出入口を開閉するようになっている。
内障子３には、戸当り框１７と召し合わせ框１９との間に上框２１と下框２３を配置してあり、戸当り框１７の下端と召し合わせ框１９の下端と下框２３の下端にはこれらの框の下端に亘って補助下框（下框）２５が取り付けてある。
同様に、外障子５には、戸当り框２７と召し合わせ框２９との間に上框３１と下框３３を配置してあり、戸当り框２７の下端と召し合わせ框２９の下端と下框３３の下端にはこれらの框の下端に亘って補助下框（下框）３５が取り付けてある。
内障子３の補助下框２５の長手寸法Ｗ（図５参照）は障子幅と略同一長さであり、補助下框２５の見付け面には外障子（他方の障子）５側面に開口する開口部３７が設けてあり、開口部３７は補助下框２５の長手方向に亘って障子幅と略同一長さに長く形成してある。尚、本実施の形態では、開口部３７は下框２５の長手方向全体に亘って形成してある。
補助下框２５内には、下向きに開口するガイド溝３９が補助下框２５の長手方向に亘って設けてあり、ガイド溝３９の開口は開口部３７に連通している。
振れ止め部品７は取付部４１と腕部４３と係合部４５とを有しており、取付部４１は外障子５の召し合わせ框２９の見込み面２９ａにねじにより取り付けてある。
腕部４３は、取付部４１から内障子３側に突出すると共に先端部４３ａが外障子５の戸当り框２７側に屈曲して平面視略Ｌ字状を成している。
係合部４５はローラであり、腕部４３の先端部４３ａに垂直軸周りを回転自在に軸着してあり、内障子３の側面にある開口部３７から挿入して、下向き開口のガイド溝３９に係合している。
一方の障子ガイド９及び他方の障子ガイド１１は各々床面Ｇから軸を上方に突出して設けたローラであり、一方の障子ガイド９は内障子３の移動を案内し、他方の障子ガイド１１は外障子５の移動を案内している。
本実施の形態では、一方の障子ガイド９と他方の障子ガイド１１とをそれぞれ障子の移動方向に２個づつ設けて、合計４個を一緒にベースプレート４７に取り付けてある。
一方の障子ガイド９は、引き戸開口を内外障子３、５で閉じた状態（障子の閉じ状態）において、内障子３の召し合わせ框１９の下方に位置し且つ補助下框２５の室内側壁２５ａと室外側壁２５ｂとの間に位置している。
他方の障子ガイド１１は外障子５の召し合わせ框２９の下方に位置し且つ補助下框３５の室内側壁３５ａと室外側壁３５ｂとの間に位置している。
【０００８】
次に、本実施の形態にかかる上吊引き戸１の作用及び効果を説明する。
本実施の形態によれば、内障子３の下補助框２５に設けてある開口部３７及びガイド溝３９は内障子３の障子幅Ｗと略同じ寸法を有すると共に、振れ止め部品７を外障子５の召し合わせ框２９の見込み面２９ａに取り付け、且つ振れ止め部品７の腕部４３を略Ｌ状としてあるので、図８の従来技術のように振れ止め部品７１を障子７３の見付け面７３ａに取り付ける場合に比較して、図６に示すように内障子３と外障子５とで引き戸の開口を開いたときに（引戸の開き状態）、召し合わせ框２９の見込み面２９ａから振れ止め部品７の係合部４５までの間のデッドスペースＳを係合部４５が一方の障子３との係合を保持する為に必要な最小限の寸法にでき、引き戸の開口幅（図６の符号Ｔ参照）を広く取ることができる。
振れ止め部品７の係合部４５は、内障子３の開口部３７から補助下框２５内に挿入して下向きのガイド溝３９に係合する構成であるから、引き戸開口の出入方向から係合部４５が見え難いと共に、振れ止め部品７は取付部４１を召し合わせ框２９の見込み面２９ａに取り付けてあり引き戸開口の出入方向から見え難いので、目立たない。
振れ止め部品７を外障子５の召し合わせ框２９の見込み面２９ａに取り付けているから、振れ止め部品７の上下方向の位置調整が内障子３と外障子５を吊り下げたままでき、施工やメンテナンスがしやすい。
障子の閉じ状態において、一方の障子ガイド９は内障子３の召し合わせ框１９の下方に位置し、他方の障子ガイド１１は外障子５の召し合わせ框２９の下方に位置しているので、一方の障子及び他方の障子をそれぞれ閉じ位置及び開き位置の何れの方向に移動したときにもそれぞれの障子３、５をガイドでき、各障子３、５を安定に開閉できる。しかも、一方及び他方の障子ガイド９、１１は引き戸の出入口の邪魔にならない。
次に、図７を参照して本発明の第２実施の形態について説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。
【０００９】
図７は第２実施の形態にかかる上吊引き戸１を図１に示す状態と同じ状態にして且つ同じ位置で切断した縦断面図である。この第２実施の形態においては、内障子３の補助下框２５に設けたガイド溝３９が上向きの開口を有している点、及び振れ止め部品７に設けている係合部４５が腕部４３に下向きに取り付けて上向き開口を有するガイド溝３９に係合している点が上述の第１実施の形態と異なっている。
この第２実施の形態にかかる上吊引き戸１においても上述した第１実施の形態と同様な作用効果を得ることができる。
【００１０】
本発明は、上述した実施の形態に限らず、本発明の要旨を逸脱しない範囲で種々変形可能である。
例えば、外障子５の補助下框（下框）３５に開口部３７とガイド溝３９を設けて、内障子３の召し合わせ框１９の見込み面に振れ止め部品７を取り付けるものであってもよい。
一方の障子ガイド９及び他方の障子ガイド１１はそれぞれ１個ずつ設けるものであってもよく、その数は限定されない。
また、一方の障子ガイド９及び他方の障子ガイド１１はベースプレート４７に一緒に取り付けてベースプレートを床に固定することに限らず、ベースプレート４７を設けないで別々に床に固定するものであってもよい。
内障子３には、上框２１と下框２３との間に戸当り框１７と召し合わせ框１９を配置する構成として、補助下框２５に換えて下框２３に開口部３７及びガイド溝３９を設けるものであってもよい。同様に外障子５にも上框３１と下框３３との間に戸当り框２７及び召し合わせ框２９を配置する構成としてもよい。
上吊引き戸１は、玄関ドアや浴室ドア等に用いることができ用途は限定されない。
【図面の簡単な説明】
【００１１】
【図１】図５に示す上吊引き戸において、内障子を外障子側に寄せて内障子と外障子を重ねた状態（開いた状態）におけるＡ−Ａ断面図である。
【図２】図５に示す上吊引き戸のＢ−Ｂ断面図である。
【図３】振れ止め部品を召し合わせ框に取り付けた部分を抜き出して示す分解斜視図である。
【図４】一方の障子ガイドと他方の障子ガイドを固定した床面部分を抜き出して示す斜視図である。
【図５】第１実施の形態にかかる上吊引き戸の正面図である。
【図６】図５に示す上吊引き戸を開いた状態における横断面図である。
【図７】第２実施の形態にかかる上吊引き戸を図１に示す状態と同じ状態にして且つ同じ位置で切断した縦断面図である。
【図８】従来技術の上吊引き戸の開き状態を概略的に示した横断面図である。
【符号の説明】
【００１２】
１      上吊引き戸
３      内障子（一方の障子）
５      外障子（他方の障子）
７      振れ止め部品
９      一方の障子ガイド
１１    他方の障子ガイド
１９    召し合わせ框
２５    補助下框（下框）
２５ａ  室内側壁
２５ｂ  室外側壁
２９    召し合わせ框
２９ａ  見込面
３５    補助下框（下框）
３５ａ  室内側壁
３５ｂ  室外側壁
３７    開口部
３９    ガイド溝
４１    取付部
４３    腕部
４５    係合部
Ｔ      開口幅
【図１】
2005325552.tif 000003
【図２】
2005325552.tif 000004
【図３】
2005325552.tif 000005
【図４】
2005325552.tif 000006
【図５】
2005325552.tif 000007
【図６】
2005325552.tif 000008
【図７】
2005325552.tif 000009
【図８】
2005325552.tif 000010